(57)【特許請求の範囲】
【請求項１】
巻取紙の胴部に多重に包装紙を巻き付け、鏡面に内当紙を当接させて前記包装紙の耳折部を折り込み、該耳折部の外側に外当紙を当接させて、該外当紙を耳折部に貼着させて巻取紙の鏡面を被覆する鏡面包装紙を巻取紙から剥離する巻取紙の鏡面包装紙剥離装置において、
巻取紙の軸を中心として前記鏡面の外周端部に沿って旋回する剥離手段を備え、
前記剥離手段に、旋回によって前記耳折部の折目部に突き刺さる矢形刃と、鏡面に対して該矢形刃の外側に位置させて、該矢形刃により引き起こされた折目部を切断するナイフとを備えたことを特徴とする巻取紙の鏡面包装紙剥離装置。
【請求項２】
前記剥離手段は、基端部を巻取紙の軸心部に連繋させて位置させた支持アームの先端部に取り付け、該支持アームが前記軸心部を中心として回転可能で、その長手方向に伸縮自在であることを特徴とする請求項１に記載の巻取紙の鏡面包装紙剥離装置。
【請求項３】
前記支持アームの基端部に巻取紙の紙管に挿入するピボット部を設け、該ピボット部を介して前記基端部と巻取紙の軸心部を連繋させることを特徴とする請求項２に記載の巻取紙の鏡面包装紙剥離装置。
【請求項４】
前記剥離手段を、前記支持アームの先端部に対して、該支持アームの長手方向を軸として回動自在な取付板と、該取付板を挟んだ位置に設けた、一対の前記矢形刃とナイフとからなることを特徴とする請求項２または請求項３に記載の巻取紙の鏡面包装紙剥離装置。
【請求項５】
前記矢形刃の刃先を覆う刃先保護部材を設け、該刃先保護部材を矢形刃の刃渡り方向に対して交差する方向に摺動可能としたことを特徴とする請求項２から請求項４までのいずれかに記載の巻取紙の鏡面包装紙剥離装置。
【発明の詳細な説明】
【技術分野】
【０００１】
この発明は、抄紙されて円柱状に巻き取られて形成された巻取紙を出荷のために該巻取紙を被覆する包装紙を剥離するための巻取紙の鏡面包装紙剥離装置に関する。
【背景技術】
【０００２】
製紙工場では、抄紙された紙がリールに巻き取られ、スリッターナイフを備えたワインダー装置を通して、製品としての所定の幅員に巻き直して巻取紙とする。この巻取紙を、胴部を包む表面包装紙と端面（鏡面）に当てる内当紙及び外当紙とにより包装する。その後、製品種別やロットを示すラベル等が貼付される。
【０００３】
巻取紙の包装紙は、該巻取紙の重量が大きいため、トラック等により運搬される際の振動により積載された巻取紙同士が干渉して包装紙が破損しやすい状況にある。包装紙が破損して露呈した巻取紙が損傷しては不良品となってしまうから、巻取紙の運搬中に破損することがないように頑丈に包装されている。
【０００４】
図５は巻取紙１の包装形態の一例を説明する図で、巻取紙１の胴部は内包紙２と外包紙３とによる表面包装紙により胴巻きされ、鏡面1aには内当紙４と外当紙５が配される。この包装形態とするためには、内包紙２と外包紙３を胴部に巻き付け、内当紙４を巻取紙１の鏡面1aに押し当てる。次いで、これら内包紙２と外包紙３の巻取紙１の鏡面1aから突出した耳折部６を折り込んで内当紙４の外側面に重畳させる。そして、耳折部６に糊付けを行い、前記外当紙５を貼着させて包装が完了する。図６は包装紙により被覆された状態を示す端部の斜視図であり、前記内包紙２と外包紙３の耳折部６が折り込まれて形成された折目部6aが外当紙５の外側に円弧に沿って露呈している。
【０００５】
上述したように、巻取紙１には頑丈な包装が施されており、包装紙を剥離する際には巻取紙１を損傷しては不都合であるから、包装紙を剥離する作業に難儀している。なお、包装紙を剥離するには、貼着されている耳折部を切断して鏡面包装紙を剥離したのち、胴部の表面包装紙を巻き解けばよいから、剥離作業は耳折部を円弧状に切断する作業となる。この剥離作業には包丁が用いられ、該包丁を鏡面1aと平行となるように把持して、前記折目部6aから刃先を差し込んで耳折部６を外側に引き出しながら、包丁を押動させて包装紙を刃で引き裂くようにしており、大きな力と熟練を要する作業となっている。
【０００６】
ところで、人手によらずに剥離作業の自動化を図るものとして、特許文献１には巻取紙のワンプ（包装紙）鏡板自動切り取り装置が提案されている。このワンプ鏡板自動切り取り装置は、ワンプで包装された巻取紙の鏡板を切り取るワンプ鏡板切り取り装置において、一端が支柱に上下動可能に支持されたアームと、同アームの他端に、軸心を上記鏡板の面とほぼ直角に取付けられた旋回軸と、同旋回軸にその軸心廻りに旋回可能に支持された旋回アームと、同旋回アームに、同旋回アームの長手方向に沿って移動可能に取付けられるとともに、上記鏡板の面と直交する軸心の廻りに旋回可能に支持されたカッタを有するカッタ装置とを具備してなるものである。
【０００７】
【特許文献１】特許第２６５９７７２号
【発明の開示】
【発明が解決しようとする課題】
【０００８】
前記ワンプ鏡板自動切り取り装置は、旋回アームを駆動するモータやカッタ装置を移動させるモータ、カッタを鏡板に突き刺すエアシリンダ、カッタが突き刺されて形成された切れ目を吸い上げる真空パッド等の各種の機器装置を備えた構造とされているものであり、電源や真空ポンプ等の駆動源を要することとなって、装置が大型化している。
【０００９】
一方、巻取紙の納入先によっては、納入時に包装紙、特に鏡面1aを被覆している内当紙４と外当紙５とを除去した状態で納入することが要望されている。このため、巻取紙１を運搬したトラックの荷台上で包装紙の剥離作業を行うことになり、大型の鏡面包装紙剥離装置であると、荷台にこの鏡面包装紙剥離装置を積載するスペースを必要として、荷台に載置する巻取紙１のスペースを制限してしまい、運搬効率を低下させるおそれがある。また、納入先の倉庫等に備える場合には、トラックの荷台のスペースが制限されることはないが、倉庫等にこの包装紙剥離装置の保管場所を確保しなければならず、しかも、各納入先毎に備えさせる必要がある。
【００１０】
このため、先に提案されたワンプ鏡板自動切り取り装置等の包装紙剥離装置は普及しておらず、前述したように、包丁を用いて人手により行っているのが現状である。
【００１１】
包丁を用いた場合には作業に熟練を要すると共に、不用意に扱うと怪我をするおそれがあることから、安全で、簡単な操作で包装紙を剥離することができる装置の開発が切望されていた。
【００１２】
そこで、この発明は、動力源等を要することなく簡単な構造により、操作性が良好で、しかも、大型化せず、備え付けるスペースを小さくすることができる巻取紙の鏡面包装紙剥離装置を提供することを目的としている。
【課題を解決するための手段】
【００１３】
前記目的を達成するための技術的手段として、この発明に係る巻取紙の鏡面包装紙剥離装置は、巻取紙の胴部に多重に包装紙を巻き付け、鏡面に内当紙を当接させて前記包装紙の耳折部を折り込み、該耳折部の外側に外当紙を当接させて、該外当紙を耳折部に貼着させて巻取紙の鏡面を被覆する鏡面包装紙を巻取紙から剥離する巻取紙の鏡面包装紙剥離装置において、巻取紙の軸を中心として前記鏡面の外周端部に沿って旋回する剥離手段を備え、前記剥離手段に、旋回によって前記耳折部の折目部に突き刺さる矢形刃と、鏡面に対して該矢形刃の外側に位置させて、該矢形刃により引き起こされた折目部を切断するナイフとを備えたことを特徴としている。
【００１４】
前記剥離手段を鏡面の外周端部に沿って旋回させると、該外周端部に存している前記折目部に前記矢形刃が突き刺さって、該折目部から耳折部の内側に差し込まれる。これにより、耳折部が引き起こされて矢形刃の外側に押し出される。矢形刃の外側にはナイフが設けられているから、引き起こされた耳折部が、剥離手段の旋回によりこのナイフで切断される。このため、折目部から中心側の部分が分離される。
【００１５】
また、請求項２の発明に係る巻取紙の鏡面包装紙剥離装置は、前記剥離手段が、基端部を巻取紙の軸心部に連繋させて位置させた支持アームの先端部に取り付けられ、該支持アームが前記軸心部を中心として回転可能で、その長手方向に伸縮自在であることを特徴としている。
【００１６】
作業者が前記支持アームを把持して回転させると、前記剥離手段が旋回して矢形刃が折目部に突き刺さる。また、巻取紙は納入先の印刷機等の仕様に応じて種々の外径寸法のものが形成される。このため支持アームを伸縮自在として異なる外径に対応できるようにしたものである。
【００１７】
また、請求項３の発明に係る巻取紙の鏡面包装紙剥離装置は、前記支持アームの基端部に巻取紙の紙管に挿入するピボット部を設け、該ピボット部を介して前記基端部と巻取紙の軸心部を連繋させることを特徴としている。
【００１８】
例えば、前記支持アームをスタンドなどに回転可能に支持させ、その支持部を巻取紙の軸心にほぼ一致させることができるように調整可能とした構造とすることができるが、巻取紙の中心には紙を巻き取るための心材となる紙管が配されている。この紙管は中空円筒のものであるから、中心の空間部に挿入するピボット部を支持アームの基端部に設けることにより、該支持アームを、紙管を中心として回転するようにしたものである。なお、ピボット部を紙管に挿入する際には、該紙管の端面を覆っている外当紙を破損させることができるよう、該ピボット部の先端を先細にして、該ピボット部を紙管に押し込むことができるようにすることが好ましい。
【００１９】
また、請求項４の発明に係る巻取紙の鏡面包装紙剥離装置は、前記剥離手段を、前記支持アームの先端部に対して、該支持アームの長手方向を軸として回動自在な取付板と、該取付板を挟んだ位置に設けた、一対の前記矢形刃とナイフとからなることを特徴としている。
【００２０】
支持アームの旋回方向がいずれであっても、折目部に前記矢形刃を突き刺せるようにしたもので、作業者の利き腕に拘わらず確実に包装紙を剥離できるようにしたものである。なお、剥離手段は、矢形刃を折目部に突き刺すことができる回動位置で固定できるようにする。
【００２１】
また、請求項５の発明に係る巻取紙の鏡面包装紙剥離装置は、前記矢形刃の刃先を覆う刃先保護部材を設け、該刃先保護部材を矢形刃の刃渡り方向に対して交差する方向に摺動可能としたことを特徴としている。
【００２２】
矢形刃の刃先は先鋭なものであるから、使用されていない場合に該刃先が露呈していては取り扱いに不便である。このため、不使用時には刃先を露呈させないように刃先保護部材を設けたものである。また、この刃先保護部材は矢形刃の刃と交差する方向の摺動量を調整することにより、矢形刃の刃先保護部材からの位置を調整する。矢形刃の刃先が折目部に突き刺さる際に、折目部の外側面が刃先保護部材に当接するようにして、刃先が巻取紙の鏡面に接触しないようにする。
【発明の効果】
【００２３】
この発明に係る巻取紙の鏡面包装紙剥離装置によれば、作業者が操作して剥離手段を旋回させれば、前記矢形刃の刃先が折目部に突き刺さり、該折目部を引き起こしながら前記ナイフが耳折部を切断する。したがって、簡単な操作で、熟練を要することなく、耳折部を切断して包装紙を剥離させることができる。
【００２４】
また、請求項２の発明に係る巻取紙の鏡面包装紙剥離装置によれば、剥離手段を確実に鏡面の外周端部に沿って旋回させることができることになり、剥離作業をより簡便に行うことができる。
【００２５】
また、請求項３の発明に係る巻取紙の鏡面包装紙剥離装置によれば、ピボット部を紙管に挿入することにより支持アームの旋回中心を巻取紙の軸心と一致させることができ、剥離作業をさらに簡便に行うことができる。
【００２６】
また、請求項４の発明に係る巻取紙の鏡面包装紙剥離装置によれば、支持アームをいずれの方向に回転させても矢形刃を折目部に突き刺すことができる。このため、作業者の利き腕がいずれの側であっても支障なく、操作性を考慮して効率よく鏡面包装紙の剥離作業を行うことができる。
【００２７】
また、請求項５の発明に係る巻取紙の鏡面包装紙剥離装置によれば、この包装紙剥離装置が不使用の際に、矢形刃が露呈することがなく、保管や携行等の取り扱いを安全に、支障なく行うことができる。しかも、刃先保護部材と矢形刃との距離を調整することにより、矢形刃が折目部に突き刺さる際に矢形刃が深い位置まで刺さることを防止して、不用意に巻取紙の鏡面を損傷してしまうことが防止される。
【発明を実施するための最良の形態】
【００２８】
以下、図示した好ましい実施の形態に基づいて、この発明に係る巻取紙の鏡面包装紙剥離装置を具体的に説明する。
【００２９】
図１はこの発明に係る巻取紙の鏡面包装紙剥離装置の剥離手段である剥離部10を示す斜視図で、支持アーム20の先端部に取り付けられている。支持アーム20の先端部には、該支持アーム20の長手方向と平行な方向を軸として回動可能に取付板としてほぼ矩形の支持プレート11が支持されている。この支持プレート11の下面には取付プレート12が、該支持プレート11の矩形の長辺側の端部よりも側方に突出させて着脱自在に設けられており、この取付プレート12の突出端部に前記支持プレート11の長辺に平行な方向を刃渡り方向とした一対の矢形刃13が取り付けられている。また、前記取付プレート12の前記矢形刃13の刃先13aの側の端部には、該矢形刃13の側面と支持プレート11にかけて一対のナイフ14が、その刃を矢形刃13の刃渡り方向に対して傾斜させた状態に着脱自在に取り付けられている。
【００３０】
前記矢形刃13の刃先13aを臨む位置には刃先保護部材としての刃先ホルダ15が、前記支持プレート11に対して、矢形刃13の刃渡り方向と直交する方向に摺動可能に配されている。この刃先ホルダ15の、前記矢形刃13の刃先13aを臨む部分には、該刃先13aが遊挿されるホルダ溝15aが刃先ホルダ15の摺動方向に沿って形成されている。この刃先ホルダ15には摺動方向を長手方向とした長孔15bが形成されて、この長孔15bに固定ボルト16が遊挿されており、この固定ボルト16を緩めると刃先ホルダ15の摺動が許容され、締め付けると刃先ホルダ15が固定されるようにしてある。
【００３１】
前記剥離部10が取り付けられた支持アーム20は、図２に示すように、基端部にピボット部21が設けられている。このピボット部21は、図５に示す巻取紙１の中心に紙を巻き取るために配された軸となる中空円筒の紙管1bに遊挿される。また、ピボット21は基端部側が円柱形で先端部側がほぼ円錐形に形成されて、紙管1bに遊挿させ易くしてあると共に、包装された巻取紙１の内当紙４と外当紙５とを該ピボット部21を押し込むことによって破損させ易くしてある。なお、紙管1bの内径寸法が異なる場合であってもこの支持アーム20を該紙管1bに連繋させることができるように、ピボット部21を支持アーム20に着脱自在として、紙管1bの内径に応じた外径のピボット部21と交換できるようにしてある。前記支持プレート11を支持アーム20に対して回動させた際に、このピボット部21の軸方向が前記矢形刃13の刃渡り方向と直交する方向となる位置で前記支持プレート11を固定できるようにしてある。また、ピボット部21の支持アーム20を挟んだ反対側には、該支持アーム20の押さえ用ノブ22が、該押さえ用ノブ22の長手方向を軸として回転可能に設けられている。
【００３２】
また、支持アーム20はその長手方向に伸縮自在とされており、所望の長さの状態で調整ネジ23を締め付けることにより、当該長さで固定されるようにしてある。すなわち、支持アーム20は内筒20aが外筒20bに収容された二重構造とし、支持アーム20の長手方向に沿って外筒20bに形成された長孔20cを貫通した前記調整ネジ23が、内筒20aに形成された雌ネジ部20dに螺合させてあり、調整ネジ23を緩めると内筒20aと外筒20bとが長孔20cの長さの範囲で摺動可能となり、適宜な位置で調整ネジ23を締め付けると、内筒20aと外筒20bとが互いに固定されるようにしてある。さらに、支持アーム20の一部であって、前記剥離部10の近傍の部位には、前記押さえ用ノブ22と同じ側に突出させて操作ノブ24が、該操作ノブ24の長手方向を軸として回転可能に設けられている。
【００３３】
以上により構成されたこの発明に係る巻取紙の鏡面包装紙剥離装置を用いて包装紙を剥離する作用を、以下に説明する。
【００３４】
包装紙を剥離すべき巻取紙１の外径寸法に併せて、前記支持アーム20の長さを調整する。このとき、前記ピボット部21が巻取紙１の紙管1bに挿入した状態で、剥離部10の矢形刃13が折目部6aを臨む位置となるように、支持アーム20の長さを調整する。すなわち、前記調整ネジ23を緩めて内筒20aと外筒20bとを互いに摺動可能な状態とし、これら内筒20aと外筒20bとを摺動させて前記位置となる状態に調整した後、前記調整ネジ23を締め付けて、内筒20aと外筒20bとを固定する。なお、ピボット部21は紙管1bの位置に押し込むようにすれば、外当紙５と内当紙４とを破損させてピボット部21を紙管1bに挿入することができる。
【００３５】
次いで、前記固定ボルト16を緩めて、刃先ホルダ15を支持プレート11に対して摺動可能な状態とする。この状態で、巻取紙１側にある矢形刃13の刃先13aが適宜に露呈する位置まで刃先ホルダ15を摺動させる。このとき、刃先13aが巻取紙１の鏡面1aを覆う折目部6aに突き刺さることができれば十分であるから、刃先ホルダ15を鏡面1aの外当紙５に押圧した状態で、刃先13aが折目部6aに突き刺さるよう、刃先ホルダ15の位置を調整し、前記固定ボルト16を締め付けて刃先ホルダ15を固定する。
【００３６】
前記ピボット部21が紙管1bに挿入され、矢形刃13の刃先13aが折目部6aに突き刺さることができる状態となったならば、前記押さえ用ノブ22を一方の手で把持し、他方の手で前記操作ノブ24を把持して、該操作ノブ24を押さえ用ノブ22に対して旋回するように操作する。なお、このとき操作ノブ24を押動させるか引動させるかは、作業者にとって、例えば利き腕を考慮する等して作業性の良好な方向とすればよい。なお、その方向となるように、予め前記剥離部10の支持プレート11を支持アーム20に対して回動させて、旋回方向の前進側に刃先13aが位置するようにする。
【００３７】
図３及び図４はこの剥離部10により包装紙を剥離する作用を説明する図で、前述したように、ピボット部21を紙管1bに挿入した状態で、前記矢形刃13とナイフ14の巻取紙１に対する位置関係を示してある。矢形刃13は刃の面が巻取紙１の鏡面1aとほぼ平行な面となり、刃先13aを折目部6aに臨ませた状態となる。また、ナイフ14の刃渡り方向は鏡面1aと交差する方向となる。この状態で剥離部10を、図３において矢標Ｐ方向へ旋回させると、矢形刃13の刃先13aが、図４に示すように、折目部6aに突き刺さり、刃先13aが耳折部６の内側に差し込まれ、さらに刃先13aが押し込まれることにより耳折部６が引き起こされる。引き起こされた耳折部６は、矢形刃13の外側に位置する。さらに、剥離部10が旋回することにより、矢形刃13の外側に位置した耳折部６は、ナイフ14により切断されることになる。このため、剥離部10が一周することにより耳折部６が円形に切断され、内側の外当紙５が鏡面1aから剥離されることになる。なお、剥離部10を旋回させる操作は、一周を同一方向とせず、例えば半周ずつに分けて逆方向に旋回させるようにすることもできる。この場合、前記支持プレート11を支持アーム20に対して、180°回転させれば、刃先13aがそれまでとは逆方向を向くことになって、容易に旋回方向の変更を行える。
【産業上の利用可能性】
【００３８】
この発明に係る巻取紙の鏡面包装紙剥離装置によれば、簡単な構造で、モータ等の動力を必要とすることがなく、しかも作業員の熟練を要することなく確実に巻取紙の包装紙を剥離することができ、さらに、保管等のスペースを要せず、携行性に優れているため、巻取紙の運搬用トラックの荷台や場合によっては助手席等に搭載できるから、利便性のよい包装紙剥離装置とすることができ、巻取紙の包装紙の剥離作業の軽減化と時間の短縮化に寄与する。
【図面の簡単な説明】
【００３９】
【図１】この発明に係る巻取紙の鏡面包装紙剥離装置の要部である剥離手段を説明するための概略の斜視図である。
【図２】この発明に係る巻取紙の鏡面包装紙剥離装置の概略の側面図である。
【図３】この発明に係る巻取紙の鏡面包装紙剥離装置により包装紙を剥離する作用を説明する図で、剥離手段と巻取紙との関係を示す斜視図である。
【図４】この発明に係る巻取紙の鏡面包装紙剥離装置により包装紙を剥離する作用を説明する図で、剥離手段と巻取紙との関係を示す平面図である。
【図５】巻取紙を包装する場合の包装紙の状態を説明する図である。
【図６】包装紙により覆われた状態の巻取紙を示す斜視図で、一部を省略して示している。
【符号の説明】
【００４０】
１  巻取紙
1a  鏡面
1b  紙管
２  内包紙
３  外包紙
４  内当紙
５  外当紙
６  耳折部
6a  折目部
10  剥離部（剥離手段）
11  支持プレート
12  取付プレート
13  矢形刃
13a  刃先
14  ナイフ
15  刃先ホルダ（刃先保護部材）
15a  ホルダ溝
20  支持アーム
20a  内筒
20b  外筒
20c  長孔
20d  雌ネジ部
21  ピボット部
22  押さえ用ノブ
23  調整ネジ
24  操作ノブ
【図１】
0005129019.tif 000002
【図２】
0005129019.tif 000003
【図３】
0005129019.tif 000004
【図４】
0005129019.tif 000005
【図５】
0005129019.tif 000006
【図６】
0005129019.tif 000007